(57)【特許請求の範囲】
【請求項１】
縦長の把持ボディ（１０）と、
前記ボディ（１０）の一端（１０ａ）に取り付けられた容量性スクリーン用のパッド（１２）と、を備える手動装置であって、
前記ボディ（１０）が絶縁性である一方、前記パッド（１２）は伝導性であり、
少なくとも１つの伝導性材料で充填され、かつ／または伝導性コーティングを含むポリマー材料でできたロッド（１４）が前記パッド（１２）と電気的に接触するとともに、前記ボディ（１０）の内部を縦方向に延び、
前記ボディ（１０）は外面を有し、伝導性材料の層（２０２）が前記ボディ（１０）の前記外面に配置され、前記層（２０２）は前記パッド（１２）から絶縁されているとともに前記縦長の把持ボディ（１０）の一部の上のみに存在する、手動装置。
【請求項２】
前記ロッド（１４）は、前記ボディ（１０）の長さの１０％よりも長い範囲にわたって延びている、請求項１に記載の装置。
【請求項３】
前記パッド（１２）は、伝導性の受け部（１３）を介して前記ボディ（１０）に取り付けられ、前記ロッド（１４）は、前記受け部（１３）を介して前記パッド（１２）と電気的に接触している、請求項１または請求項２に記載の装置（１００，２００）。
【請求項４】
前記ロッド（１４）と前記受け部（１３）とが単一の部材を成している、請求項３に記載の装置。
【請求項５】
筆記用先端部（１６）またはその等価物を備える、請求項１〜４のいずれか一項に記載の装置。
【請求項６】
前記筆記用先端部（１６）は、貯蔵部（１８）から供給を受け、前記貯蔵部（１８）は、全体または一部が前記ロッド（１４）の内部にある、請求項５に記載の装置。
【請求項７】
前記ボディ（１０）は、絶縁性ポリマー材料、木材、セラミック、ガラス、またはそれらの等価物でできている、請求項１〜６のいずれか一項に記載の装置。
【請求項８】
前記層（２０２）は、前記ロッド（１４）と少なくとも部分的に縦方向において重なって延びている、請求項１〜７のいずれか一項に記載の装置。
【請求項９】
前記層（２０２）は、前記ロッド（１４）の長さの少なくとも３０％の範囲にわたって延びている、請求項１〜８のいずれか一項に記載の装置。
【請求項１０】
前記層（２０２）は、金属箔または伝導性ラミネートを含む、請求項１〜９のいずれか一項に記載の装置。
【請求項１１】
前記ロッド（１４）は、前記ボディ（１０）から間隔を置いて配置されている、請求項１〜１０のいずれか一項に記載の装置。
【請求項１２】
前記ロッドおよび前記ボディは、実質的にシリンダー状であり、前記ロッドおよび前記ボディはそれぞれ、実質的にシリンダー状の外面を有し、前記ロッドの前記外面と前記ボディの前記外面との径方向の距離が５ｍｍ未満である、請求項１〜１１のいずれか一項に記載の装置。
【請求項１３】
前記装置がパッシブ型である、請求項１〜１２のいずれか一項に記載の装置。
【発明の詳細な説明】
【技術分野】
【０００１】
本発明は、例えばグラフィックスタブレットなどの容量性スクリーンを使用可能にする手動装置に関する。このような装置は、容量性スクリーンの任意の点における装置の存在を容量性スクリーンが検知できるようにスクリーンに干渉／相互作用可能である。
【背景技術】
【０００２】
縦長の把持ボディと該ボディの一端に取り付けられた容量性スクリーン用のパッドとを備える手動装置が知られている。それら従来の装置では、使用中に、装置が容量性スクリーンと相互作用できるように使用者の手が把持ボディを介してパッドと電気的に接触することを確実にするために、把持ボディが必ず導電性でなければならず、かつパッドと電気的に接触していなければならない。このことは、設計、製造、および費用に関する制約をもたらす。
【発明の概要】
【発明が解決しようとする課題】
【０００３】
本発明の目的は、上述の欠点を少なくとも実質的に解消することである。
【課題を解決するための手段】
【０００４】
本発明は、縦長の把持ボディ（以下、「ボディ」と称する）と該ボディの一端に取り付けられた容量性スクリーン用のパッド（以下、「パッド」と称する）とを備える手動装置であって、上記ボディが絶縁性である一方、上記パッドは伝導性であり、少なくとも１つの伝導性材料で充填され、かつ／または伝導性コーティングを含むポリマー材料でできたロッドが上記パッドと電気的に接触するとともに、上記ボディの内部を縦方向に延びている手動装置を提案することによって、上記目的を達成する。
【０００５】
例えば、手動装置は、容量性スクリーン用のスタイラス、従来の筆記用先端部と容量性スクリーン用の先端部とを有するペン、あるいは、概して言えば、その一端に容量性スクリーンと相互作用するように構成された先端部を有する何らかの手動器具である。
【０００６】
手動装置はパッシブ型であることが理解できる。「パッシブ」であると言われる器具は、作動するためにエネルギー源から動力を供給される必要がない器具であることに留意されたい。一方、「アクティブ」であると言われる器具は、作動するために、例えば内蔵電池などのエネルギー源を必要とする。すなわち、手動装置は、パッドと相互作用する何らかのエネルギー源、特に何らかの電気エネルギー源を有しない。
【０００７】
以下、異なる説明がない限り、「伝導性」という用語は、「電気を伝導可能」の意として理解されるべきである。一方、「絶縁性」という用語は、以下、異なる説明がない限り、「電気に対して絶縁性」の意として理解されるべきである。
【０００８】
パッドは、容量性スクリーンと相互作用するように構成された末端部であることが理解できる。パッドは、（パッドを形成している材料のおかげで、または、コーティングのおかげで）伝導性である。パッドが容量性スクリーンと相互作用可能である限り、すなわち、パッドがスクリーンに接触していることをスクリーンが検知できる限り、パッドの形状、柔軟性／剛性、および材料は限定されない。
【０００９】
また、ボディによって、手動装置を操作するため、特に容量性スクリーンと相互作用するために手動装置を把持することが可能になることが理解できる。ボディは、縦方向または長手方向に延びている。縦方向のボディの寸法を以下ではボディの長さとみなす。ボディは、好ましくは直線状である。また、ロッドも、ボディの内部を縦方向に延びている。従って、ボディは、ロッドを収容できるように中空である。ロッドとボディとは実質的に平行である。一実施形態では、ロッドとボディとが同軸である。これにより、製造が簡易な構造が得られる。
【００１０】
ロッドは、中実であっても中空であってもよい。また、ロッドは、実質的に、断面が円形、楕円形、多角形などであるシリンダー状であってもよい。ロッドの長さおよび形状は限定されない。例えば、ロッドは、ボディの全長にわたって延びていてもよく、または、ボディの長さよりも短い長さの部分にだけわたって延びていてもよい。縦方向のロッドの寸法を以下ではロッドの長さとみなす。
【００１１】
ロッドは、ポリマー材料、すなわち、１つまたは複数のポリマーを基にする材料でできている。一実施形態では、ポリマー材料は、少なくとも１つの伝導性材料で充填されている。別の実施形態では、ポリマー材料は、少なくとも部分的に伝導性コーティングによって被覆されている。さらに別の実施形態では、ロッドの材料は、伝導性材料で充填され、かつ伝導性コーティングによって被覆されている。すなわち、ロッドは、ポリマー材料でできており、その全体に少なくとも１つの伝導性材料からなるフィラーを含むか、その表面に伝導性コーティングを有するか、あるいはまた、フィラーおよびコーティングの両方を有する。
【００１２】
例えば、ポリマー材料は熱可塑性物質である。例えば、ポリマー材料は、以下から選択される１つまたは複数の化合物を含んでいてもよい：アクリロニトリルブタジエンスチレン（頭字語ＡＢＳでも知られている）；アクリロニトリルメチルメタクリレート（頭字語ＡＭＭＡでも知られている）；アクリロニトリルスチレンアクリレート（頭字語ＡＳＡでも知られている）；セルロースアセテート（頭字語ＣＡでも知られている）；セルロースアセトブチレート（頭字語ＣＡＢでも知られている）；セルロースアセトプロピオネート（頭字語ＣＡＰでも知られている）；発泡ポリスチレン（頭字語ＥＰＳでも知られている）；エチレンテトラフルオロエチレン（頭字語ＥＴＦＥでも知られている）；エチレン‐ビニルアルコール（頭字語ＥＶＡＬまたはＥＶＯＨでも知られている）；パーフルオロエチレンプロピレン（頭字語ＦＥＰまたはＰＦＥＰでも知られている）；メチルメタクリレート‐ブタジエン‐スチレン（頭字語ＭＢＳでも知られている）；メチルセルロース（頭字語ＭＣでも知られている）；ポリアミド（頭字語ＰＡでも知られている）；ポリカプロラクタム（頭字語ＰＡ６でも知られている）；ポリアミド‐イミド（頭字語ＰＡＩでも知られている）；ポリアクリロニトリル（頭字語ＰＡＮでも知られている）；ポリブテン‐１（頭字語ＰＢ‐１でも知られている）；ポリブチレンテレフタレートまたはポリ（ブチレンテレフタレート）（頭字語ＰＢＴでも知られている）；ポリカーボネート（頭字語ＰＣでも知られている）；ポリクロロトリフルオロエチレン（頭字語ＰＣＴＦＥでも知られている）；ポリエチレン（頭字語ＰＥでも知られている）；高密度ポリエチレン（頭字語ＰＥ−ＨＤでも知られている）；低密度ポリエチレン（頭字語ＰＥ−ＬＤでも知られている）；直鎖状低密度ポリエチレン（頭字語ＰＥ−ＬＬＤでも知られている）；超高分子量ポリエチレン（頭字語ＰＥ−ＵＨＭＷでも知られている）；ポリエーテルブロックアミド共重合体（頭字語ＰＥＢＡでも知られている）；ポリエステルカーボネート（頭字語ＰＥＣでも知られている）；ポリエーテルエーテルケトン（頭字語ＰＥＥＫでも知られている）；ポリエーテルイミド（頭字語ＰＥＩでも知られている）；ポリエーテルケトン（頭字語ＰＥＫでも知られている）；ポリ（エチレンナフタレート）（頭字語ＰＥＮでも知られている）；ポリエーテルスルフォン（頭字語ＰＥＳＵでも知られている）；ポリ（エチレンテレフタレート）（頭字語ＰＥＴでも知られている）；パーフルオロアルコキシ（頭字語ＰＦＡでも知られている）；ポリケトン（頭字語ＰＫでも知られている）；ポリメチルメタクリレート（頭字語ＰＭＭＡでも知られている）；ポリメチルペンテン（頭字語ＰＭＰでも知られている）；ポリオキシメチレン、ポリアセタールまたはポリホルムアルデヒド（頭字語ＰＯＭでも知られている）；ポリプロピレンまたはポリプロペン（頭字語ＰＰでも知られている）；ポリ（フェニレンエーテル）（頭字語ＰＰＥでも知られている）；ポリ（フェニレンオキシド）（頭字語ＰＰＯでも知られている）；ポリ（プロピレンオキシド）（頭字語ＰＰＯＸでも知られている）；ポリ（フェニレンスルフィド）（頭字語ＰＰＳでも知られている）；ポリスチレン（頭字語ＰＳでも知られている）；ポリスルホン（頭字語ＰＳＵでも知られている）；ポリテトラフルオロエチレン（頭字語ＰＴＦＥでも知られている）；ポリウレタン（頭字語ＰＵＲでも知られている）；ポリ（酢酸ビニル）（頭字語ＰＶＡＣでも知られている）；ポリ（ビニルアルコール）（頭字語ＰＶＡＬでも知られている）；ポリ塩化ビニル（頭字語ＰＶＣでも知られている）；ポリフッ化ビニリデン（頭字語ＰＶＤＦでも知られている）；ポリ（フッ化ビニル）（頭字語ＰＶＦでも知られている）；スチレン−アクリロニトリル（頭字語ＳＡＮでも知られている）；シリコーン（頭字語ＳＩでも知られている）；スチレンマレイン酸無水物（頭字語ＳＳＭＡまたはＳＭＡｎｈでも知られている）；ポリオレフィン；およびポリエステル。概して言えば、ポリマー材料は、合成有機ポリマー材料または合成有機ポリマーである。このような材料は、工業規模でロッドを製造するのに特によく適している。
【００１３】
フィラーは、ロッドの製造時にポリマー材料に導入される添加材料である。よって、少なくとも１つの伝導性材料で充填されたポリマー材料とは、その全体に少なくとも１つの伝導性材料をロッドの製造時に導入したポリマー材料である。この伝導性材料フィラーのおかげで、ロッドが伝導性を有する。例えば、ポリマー材料は、少なくとも２重量％の伝導性材料で充填されていてもよい。
【００１４】
例えば、伝導性材料フィラーは、カーボンブラック、カーボンナノチューブ、または金属粒子から選択される１つまたは複数の化合物を含む。
【００１５】
伝導性コーティングは、例えば、伝導性を有するラミネート膜、塗膜、もしくはその等価物であってもよく、または、伝導性材料の箔膜、例えば金属箔であってもよい。
【００１６】
このように、伝導性材料フィラーおよび／または伝導性コーティングのおかげで、ロッドは伝導性である。ロッドは、直接的あるいは間接的にパッドと電気的に接触している。例えば、パッドに触れているタブを有するロッドが、パッドに直接的に接続されているまたは電気的に接触しているロッドとなる。別の例では、ロッドは、例えば金属線などのロッドおよびパッドとは別の伝導性部材を介してパッドに接触して、パッドに間接的に接続されているまたは接触しているロッドとなる。
【００１７】
本発明者らは、驚くべきことに、使用者が把持ボディのロッドと縦方向において重なる部分を持って手動装置を操作すると、容量性スクリーンの面が、好ましくはパッドと接触することによってパッドの存在を感知できることと、このことは、手とロッドとの間、または手とパッドとの間に直接的な電気的接触がない場合であっても成立することとを見出した。パッドを容量性スクリーンと相互作用できるようにするためには、パッドと使用者の手との間に直接的な電気的接触があることが必須であることは、当業者に広く認められている。手動装置が手で操作されていない場合、または手がロッドと重なる部分に置かれていない場合には、スクリーンが手動装置を感知できないことはもちろんである。
【００１８】
この驚くべき効果を利用すれば、任意の非伝導性の把持ボディを用いることができ、それにより、容量性スクリーンの使用を可能にする従来の装置にまつわる設計、製造、および費用に関する制約を回避できる。
【００１９】
さらに、伝導性材料で充填または被覆されたポリマー材料をもとに製造されるロッドは、大規模工業生産に適したコストで容易に加工できるという利点を有する。さらに、ロッドの材料は、ボディの製造に通常用いられる材料と親和性があるため、ボディ内部へのロッドの取り付けが容易になり、ロッドを既存の手動装置のボディに適合させることができる。
【００２０】
「縦方向において重なる」という表現は、２つの部材が、縦方向の同じ領域または縦方向の同じ位置にあることを意味するために用いられる。すなわち、使用者が手動装置を操作しており、ボディのロッドが延びている縦方向の領域に対応する部分に手を置いている場合、パッドを容量性スクリーンに接近または接触させると、容量性スクリーンがパッドの存在を検知する。
【００２１】
すなわち、ロッドが縦方向に把持ボディのごく一部分にわたって、例えばボディの長さの１０％にわたって延びている場合、把持ボディの長さのその１０％を占めている把持ボディの把持部分が、ロッドと重なる把持部分となる。ロッドと重なっているこの把持部分を用いて手動装置を操作すれば、パッドを容量性スクリーンに接近または接触させた場合にスクリーンが装置の存在を検知する。
【００２２】
有利には、ロッドは、ボディの長さの１０％よりも長い範囲にわたって延びている。
【００２３】
この場合、ボディの長さの少なくとも１０％にわたって延びる把持部分が得られる。これにより、手動装置は、人間工学的に改善される。
【００２４】
有利には、パッドが導電性の受け部を介してボディに取り付けられ、ロッドが受け部を介してパッドと電気的に接触している。
【００２５】
受け部は、パッドとボディとの間に配置される中間部材であることが理解できる。このような受け部は、パッドをボディに取り付けることを容易にするという利点を有する。また、受け部は、手動装置を組み立てる際に、ロッドとパッドとを電気的に接触させることを容易にする。
【００２６】
有利には、ロッドと受け部とが単一の部材を成している。
【００２７】
この場合、手動装置内の部品の数を減らすことができる。これにより、装置の構造が簡素になり、製造コストが低減される。すなわち、受け部とロッドとが同一の材料から作られ、単一部品を成すことが理解できる。これにより、受け部とロッドとの間の電気伝導が最適化される。
【００２８】
有利には、パッドが、受け部に直接（すなわち、何らかの中間部材を用いずに）取り付けられている。この場合に、受け部とロッドとが同一の材料でできた単一の部材を成していると、ロッドが直接的にパッドと電気的に接触すると考えることができ、これにより、それらの間の電気的接触の質が向上する。
【００２９】
有利には、装置は、筆記用先端部またはその等価物を備える。
【００３０】
縦長の把持ボディは２つの端部を有し、一方の端部がパッドを支持し、他方の端部が筆記用先端部を支持していることが理解できる。例えば、筆記用先端部またはその等価物は、ボールポイント、サインペン先端部、シャープペンシル先端部、抵抗性スクリーン用の硬質の先端部、パンチ先端部、または他の何らかの手動装置の端部材である。
【００３１】
有利には、筆記用先端部は、貯蔵部から供給を受け、該貯蔵部は、全体または一部がロッドの内部にある。
【００３２】
この構成ではロッドが中空であることと、ロッドの内部に形成される空洞が先端部用の貯蔵部の一部または全体を収容することとが理解できる。例えば、貯蔵部は、ボールペン用インクまたはフリーインクの貯蔵部であってもよく、あるいは、フェルトペン用の繊維質貯蔵部またはペンシルの芯の貯蔵部であってもよい。
【００３３】
ロッドを貯蔵部の周囲に配置することで、手動装置の全体のサイズが小さくなり、それにより装置の人間工学性が向上する。中空のロッドを用いることでロッドの重さも低減され、このことは、使用の容易性および快適性の観点から有利である。
【００３４】
有利には、ボディは、絶縁性ポリマー材料、木材、セラミック、ガラス、またはそれらの等価物でできている。
【００３５】
「等価物」という用語は、例えば、ベークライト（商標）、厚紙、木材系材料、ガラス系材料、セラミック系材料、上記材料の１つまたは複数を基にする、例えば木材系およびポリマー材料系の複合材料などの、把持ボディを形成するためのあらゆる絶縁性材料を意味するために用いられる。例えば、ポリマー材料は、熱可塑性物質であり、より詳細には、前記した例示物のリストから選択される１つまたは複数の化合物を含む。
【００３６】
有利には、ボディが外面（外壁）を有し、伝導性材料の層がボディの外面に配置されている。
【００３７】
伝導性材料の層は、ロッドおよびパッドから絶縁されていることが理解できる。すなわち、伝導性材料の層は、パッドおよび／または伝導性の受け部および／またはロッドと、機械的に接触しておらず、また、電気的にも接触していない。概して言えば、この層は、パッドから絶縁されていることで、直接的にパッドと接触しておらず、また、例えば受け部、ロッド、または別の何らかの部材を介して間接的にもパッドと接触していないことが理解できる。発明者らは、驚くべきことに、ボディの外面に配置されたこのような伝導性の層により、手動装置と容量性スクリーンとの間の相互作用が向上することを見出した。すなわち、ボディがこの伝導性の層を有している場合、容量性スクリーンは、より容易に反応し、かつ／または、手動装置のパッドの存在をより容易に検知する。
【００３８】
有利には、層は、ロッドと少なくとも部分的に縦方向において重なって延びている。
【００３９】
層がロッドと縦方向において重なっている場合、容量性スクリーンとの相互作用が、スクリーンによってさらに容易に検知される。
【００４０】
有利には、層は、ロッドの長さの少なくとも３０％の範囲にわたって延びている。
【００４１】
このような縦方向の重なりによって、容量性スクリーンとの良好な相互作用を確保できる。
【００４２】
有利には、層は、金属箔、または、例えば金属塗膜などの伝導性ラミネートを含む。
【００４３】
このような材料は加工が容易であり、十分な性能を有する。
【００４４】
有利には、ロッドは、ボディから間隔を置いて配置（または径方向に間隔を置いて配置）されている。この場合、ロッドはどの箇所においてもボディと接触しないことが理解できる。すなわち、ロッドが、ボディから離間（または径方向に離間）している。従って、ロッドとボディとの間に空気の層があることが理解できる。この空気の層は、（使用者の指とロッドとの間、または伝導性材料の層とロッドとの間における）手動装置の容量効果を増大させる追加的な絶縁層である。
【００４５】
有利には、ロッドおよびボディが実質的にシリンダー状であり、ロッドおよびボディがそれぞれ実質的にシリンダー状の外面を有し、ロッドの外面とボディの外面との径方向の距離が、５ミリメートル（ｍｍ）未満である。このような距離であれば、良好な容量効果が得られる。実質的にシリンダー状とは、例えば、外面の断面の形状および内面の断面の形状が異なり、それら断面形状が、円形、楕円形、多角形などである形状である。
【００４６】
本発明およびその利点が、非限定的な例として提示される本発明の種々の実施形態に関する詳細な説明を読むことでよりよく理解できる。以下の説明では、添付の図面を参照する。
【図面の簡単な説明】
【００４７】
【図１】図１は、斜視図で見た第１実施形態の手動装置を示す。
【図２】図２は、分解斜視図で見た図１の手動装置を示す。
【図３】図３は、平面IIIに沿った断面で見た図１の手動装置を示す。
【図４】図４は、斜視図で見た第２実施形態の手動装置を示す。
【図５】図５は、平面Ｖに沿った断面で見た図４の手動装置を示す。
【発明を実施するための形態】
【００４８】
第１実施形態の手動装置１００を図１〜図３を参照して説明する。
【００４９】
手動装置１００は、縦長の把持ボディ１０と、容量性スクリーン用のパッド１２と、ボディ１０の内部を縦方向に延びるロッド１４と、を備える。手動装置１００、より詳細にはボディ１０およびロッド１４は、縦方向Ｘに沿って延びている。ボディ１０が、ロッド１４を収容するために中空であることはもちろんである。ボディ１０が絶縁性である一方、パッド１２およびロッド１４は伝導性である。パッド１２とロッド１４とは電気的に接触している。
【００５０】
ボディ１０は、２つの端部１０ａおよび１０ｂを有する。端部１０ａが、ペンの後端部または第１端部となり、一方、端部１０ｂが、ペンの前端部または第２端部となる。この例では、実質的に円錐台形である前端部１０ｂを除いて、ボディ１０は、実質的にシリンダー形状であり、外側が六角形断面で、内側が円形断面である。
【００５１】
手動装置１００は、ボディ１０の端部１０ｂに取り付けられた筆記用先端部１６を有し、一方、パッド１２は端部１０ａに取り付けられている。従って、この例では、手動装置１００は、筆記用のペンと容量性スクリーン用のスタイラスの両方を構成する複合型装置である。
【００５２】
パッド１２は、受け部１３を介してボディ１０に取り付けられている。すなわち、受け部１３がボディ１０に取り付けられ、パッド１２は受け部１３に取り付けられている。この例では、パッド１２は、受け部１３を介してロッド１４と電気的に接触している。
【００５３】
パッド１２は、容量性スクリーンと協働するための遠位端部１２ａを有し、この端部１２ａは、この例では、実質的に中空の半球状である。端部１２ａは、実質的に中空のシリンダー状である固定部１２ｂの延長上にある。固定部１２ｂは、固定部１２ｂの自由端近傍かつ固定部１２ｂの内側に配置されたカラー１２ｃを有する。カラー１２ｃは、受け部１３に形成された環状の溝１５とスナップ嵌めによって協働する。リング２０が、固定部１２ｂおよび受け部１３の周囲に圧力嵌めされ、受け部１３に圧着される（図３参照）。このリング２０により、パッド１２と受け部１３とのスナップ嵌めが固定される。受け部１３は、押しつけられたリング２０を受け止める肩部１３ａを有する。
【００５４】
受け部１３は、パッド１２と受け部１３との間にできる空間の内部の圧力と該空間の外部の圧力とのバランスを取るための通気口を形成するように、縦方向Ｘに沿った貫通孔１３ｂを有する。
【００５５】
受け部１３は、例えば接着または溶着（ヒートシール、超音波溶着など）によってボディ１０と協働する肩部１３ｃを有する。受け部１３およびロッド１４は、同一の材料でできた単一の部品を成している。従って、この例では、ロッド１４が受け部１３を介してボディ１０に固定されている。受け部１３とロッド１４との間の接続部分は、ボディ１０の後端部１０ａに形成された凹部１０ｃと相補的な形状で協働する、中心合わせ用の厚肉部１３ｄを有する。さらに、受け部１３をボディ１０に溶着する場合、厚肉部１３ｄは、受け部１３をボディ１０に固定することにも寄与する。厚肉部１３ｄは、ボディととりわけ接触しているので、溶着ビードとなる。この例では、厚肉部１３ｄおよび凹部１０ｃは、実質的に環状である。
【００５６】
ロッド１４は中空である。受け部１３の通気口１３ｃは、中空のロッド１４の内部の空洞につながっている。ロッド１４は、ボディ１０の内部を、後端部１０ａから延びている。図３に示すように、ロッド１４は、長さを概ね縦方向Ｘに沿って見た場合、ボディ１０の長さの１０％よりも長い範囲にわたって延びている。この例では、ロッドは、後端部１０ａを起点として、ボディ１０のおよそ５０％にわたって延びている。すなわち、縦方向Ｘに沿って見た場合、ロッド１２は、ボディ１０のおよそ半分にわたって延びている。
【００５７】
筆記用先端部１６は、この例ではボールポイントであるが、インク１９を収容している貯蔵部１８からインクを供給される。図３に示すように、貯蔵部１８は、その一部がロッド１４の内部を延びている。より詳細には、貯蔵部１８の後端部１８ａ、すなわち、筆記用先端部１６とは反対側の貯蔵部の端部が、ロッド１４の内部に配置されている。概して言えば、インク貯蔵部は、全体または一部がロッド１４の内部を縦方向Ｘに沿って延びている。この例では、貯蔵部１８の後端部１８ａからおよそ５０％の部分がロッドの内部に配置されている。すなわち、この例では、縦方向Ｘに沿って見た場合、貯蔵部１８の概ね後ろ側半分がロッド１４の内部にある。
【００５８】
この例では、ロッドの外径は５．４ｍｍであり、一方、ボディの内径は５．５２ｍｍである。概して言えば、ロッド１４がボディ１０から間隔を置いて配置されていることが理解できる。ボディの厚さは、１．２ｍｍ〜１．５ｍｍの範囲にある。従って、ボディの外面（または外壁）とロッドの外面（または外壁）との径方向の距離は、１．２６ｍｍ〜１．５６ｍｍの範囲にある。概して言えば、発明者らは、ボディの外面とロッドの外面との径方向の距離が５ｍｍ未満である場合に、手動装置１００が満足のいく仕方で作動することを見出した。
【００５９】
この例では、ボディ１０はＰＳでできており、ロッド１２および受け部１３は、３重量％のカーボンナノチューブをフィラーとして含有するＡＢＳでできている。パッド１４は、伝導性成分を含有するエラストマー材料でできている。この例では、パッド１４は、カーボンブラック粒子で充填されたシリコンでできている。リング２０は、クロムめっき銅でできている。
【００６０】
このように、使用される材料のおかげで、パッド１２は、受け部１３を介して間接的にロッド１４と電気的に接触している。リング２０は、金属でできているため、その主な機能はパッド１２を受け部１３上に機械的に保持することではあるが、受け部１３とパッド１２との電気的接触を確保することにも寄与する。
【００６１】
使用者がボディ１０のロッド１４と縦方向Ｘにおいて重なる部分を把持して手動装置１００を操作すると、容量性スクリーンがパッド１２からの接触を感知できる。すなわち、使用者が手動装置１００を操作しており、ボディ１０のロッド１４が延びている縦方向の領域に対応する部分で装置を掴んでいる場合、パッド１２を容量性スクリーンに接近または接触させると、容量性スクリーンがパッドの存在を検知する。図３では、ボディ１０の部分Ａが、ボディ１０のロッド１４と縦方向において重なる把持部分となり、ボディ１０の部分Ｂがロッド１４と縦方向において重ならない把持部分となる。
【００６２】
以下、第２実施形態の手動装置２００を図４および図５を参照して説明する。第１実施形態の手動装置１００との唯一の違いは、ボディの外面に伝導性材料の層があることである。従って、第１実施形態と第２実施形態とに共通する全ての要素について再度説明はせず、それら要素は同じ参照符号のままである。
【００６３】
第２実施形態では、ボディ１０が、その外面に伝導性材料の層２０２を有する。この例では、層２０２は、例えば熱溶融性接着剤などの従来の手段を用いてボディ１０の外面に積層された金属箔を含む。金属箔は、アルミニウムでできている。図５に示すように、層２０２は、ボディの後端部１０ａまでは延びていない。従って、層２０２と、受け部１３、リング２０、またはパッド１２との間には電気的接触がない。すなわち、層２０２は、受け部１３、リング２０、およびパッド１２から（当然ロッド１４からも）絶縁されている。
【００６４】
この層２０２は、概ねロッド１４の全長と縦方向において重なる部分Ｃにわたって延びている。さらに、層２０２は、ロッドと重ならない部分Ｄにわたって延びている。部分Ｄが、把持部分Ａに追加された把持部分となる。このように、コーティング２０２を用いることで、容量性スクリーンに対してパッド１２を用いるのに有効な把持部分が大きくなるため、手動装置２００は、手動装置１００と比べて人間工学的により優れる。
【００６５】
本発明を具体的な実施形態を挙げて説明したが、請求項によって定められる本発明の全体の範囲を逸脱しない限り、改良および変更をそれら実施形態に施し得ることは明らかである。特に、図示かつ／または説明した種々の実施形態の個々の特徴を組み合わせてさらなる実施形態を構成してもよい。従って、本明細書および図面は、限定的な意味ではなく、例示的な意味で考察されるべきである。
【図１】
0006388919.tif 000002
【図２】
0006388919.tif 000003
【図３】
0006388919.tif 000004
【図４】
0006388919.tif 000005
【図５】
0006388919.tif 000006